(57)【要約】【目的】本発明は、装置の保守作業時に許可をチェックする保守作業ミス防止プログラムにおいてに関し、装置の保守点検時にＩＣタグから許可情報が読み取られたときに作業許可フラグをオンにして保守可能、更に、装置が稼動中でないときにフラグをオンにして保守可能にし、保守要員は保守作業許可を書き込んだＩＣタグがないと保守作業を開始できず、保守作業ミスを完全に防止することを目的とする。【構成】  ＩＣタグから装置の保守作業の保守許可証を読み取る手段と、保守許可証が読み取られたときに、保守作業許可フラグをオンに設定する手段と、保守作業許可フラグがオンに設定されたときに電源操作スイッチおよび保守パネルの一方あるいは両方を有効に設定する手段とを備える。【選択図】        図１
2005250948.tif 000002
【特許請求の範囲】
【請求項１】
装置の保守作業時に許可をチェックする保守作業ミス防止プログラムにおいて、
保守対象の装置を構成するコンピュータに、
ＩＣタグから装置の保守作業の保守許可証を読み取る手段と、
前記保守許可証が読み取られたときに、保守作業許可フラグをオンに設定する手段と、
前記保守作業許可フラグがオンに設定されたときに電源操作スイッチおよび保守パネルの一方あるいは両方を有効に設定する手段と
して機能させる保守作業ミス防止プログラム。
【請求項２】
前記保守作業フラグがオンに設定され、かつ装置が稼動中でないときに、前記電源操作スイッチおよび保守パネルの一方あるいは両方を有効に設定することを特徴とする請求項１に記載の保守作業ミス防止プログラム。
【請求項３】
前記ＩＣタグから前記装置の保守作業の保守許可証に加えて、保守資格者証を読み取られたときに、前記保守作業許可フラグをオンに設定することを特徴とする請求項１あるいは請求項２に記載の保守作業ミス防止プログラム。
【請求項４】
前記ＩＣタグから前記装置のシステム運用許可証が読み取られたときに、無条件に前記保守作業許可フラグをオンにすることを特徴とする請求項１から請求項３のいずれかに記載の保守作業ミス防止プログラム。
【請求項５】
前記保守対象の装置がローカルモードで稼動中は、前記稼動中であっても、前記電源操作スイッチおよび保守パネルの一方あるいは両方を有効に設定することを特徴とする請求項１から請求項４のいずれかに記載の保守作業ミス防止プログラム。
【請求項６】
装置の保守作業時に許可をチェックする保守作業ミス防止方法において、
保守対象の装置を構成するコンピュータに、
ＩＣタグから装置の保守作業の保守許可証を読み取るステップと、
前記保守許可証が読み取られたときに、保守作業許可フラグをオンに設定するステップと、
前記保守作業許可フラグがオンに設定されたときに電源操作スイッチおよび保守パネルの一方あるいは両方を有効に設定するステップと
を有する保守作業ミス防止方法。
【発明の詳細な説明】
【技術分野】
【０００１】
本発明は、装置の保守作業時に許可をチェックする保守作業ミス防止プログラムおよび保守作業ミス防止方法に関するものである。
【背景技術】
【０００２】
従来、コンピュータシステムの保守作業において、管理者の許可を得ずに保守対象装置やシステムの電源をＯＦＦにしてしまったり、保守用パネルを操作してしまったりし、ユーザ業務に多大の影響を与えてしまうことが発生することがあった。当該ミスを防止するために保守する前には必ず管理者の了承をもらうことを徹底する教育を保守要員に施していた。
【０００３】
また、複数のＩＣタグにより保守点検作業ルートを形成し、ロボットが保守点検作業ルートに沿って移動して保守点検を行う技術がある（特許文献１）。
【特許文献１】特開２００３−２３２８８１号公報
【発明の開示】
【発明が解決しようとする課題】
【０００４】
上述した前者の技術では、コンピュータシステムの保守点検時に管理者の了承をもらってから装置の電源をＯＦＦしたり、操作パネルを操作したりし、所定の保守点検を行う必要があり、保守要員への管理者の了承をもらうという教育にたよらざるをえず、確実に保守作業時のミスによるユーザ業務への多大な影響を防止することが困難であるという問題があった。
【０００５】
また、上述した後者の技術では、複数のＩＣタグにより保守点検作業ルートを形成して保守作業を行うのみで、当該保守作業の事前の管理者の承諾はやはり当該保守作業者が管理者から得て保守点検作業を開始する必要があり、確実に保守作業時のミスによるユーザ業務への多大な影響を防止することが困難であるという問題があった。
【課題を解決するための手段】
【０００６】
本発明は、これらの問題を解決するため、管理者から保守作業の許可情報をＩＣタグに書き込んでもらい、装置の保守点検時に当該ＩＣタグから許可情報が読み取られたときに作業許可フラグをオンにして保守可能、更に、装置が稼動中でないときにフラグをオンにして保守可能にすることを目的としている。
【０００７】
従って、装置の保守点検時にＩＣタグから許可情報が読み取られたときに作業許可フラグをオンにして保守可能、更に、装置が稼動中でないときにフラグをオンにして保守可能にすることにより、保守要員は保守作業許可を書き込んだＩＣタグがないと保守作業を開始できず、保守作業ミスを完全に防止することが可能となる。
【発明の効果】
【０００８】
本願発明は、管理者から保守作業の許可情報をＩＣタグに書き込んでもらい、装置の保守点検時に当該ＩＣタグから許可情報が読み取られたときに作業許可フラグをオンにして保守可能、更に、装置が稼動中でないときにフラグをオンにして保守可能にする構成を採用しているため、保守要員は保守作業許可を書き込んだＩＣタグがないと保守作業を開始できず、保守作業ミスを完全に防止することができる。
【発明を実施するための最良の形態】
【０００９】
本発明は、装置の保守点検時にＩＣタグから許可情報が読み取られたときに作業許可フラグをオンにして保守可能、更に、装置が稼動中でないときにフラグをオンにして保守可能にし、保守要員は保守作業許可を書き込んだＩＣタグがないと保守作業を開始できず、保守作業ミスを完全に防止することを実現した。
【実施例１】
【００１０】
図１は、本発明のシステム構成図を示す。
【００１１】
図１において、ＩＣタグ１は、無線でデータを書き込んで記憶させたり、データを読み出したりできるものであって、ここでは、保守許可証２などのデータを記憶させるものである（図６参照）。
【００１２】
保守許可証２は、ＩＣタグ１に書き込まれた情報の例であって、システム（コンピュータシステム）の保守の許可をする情報である。
【００１３】
ＩＣタグ読取部３は、システムに装着したものであって、無線でＩＣタグ１から保守許可証２などのデータを読み込んだり（あるいは読み取られたものを取り込む）ものである。
【００１４】
作業許可設定部４は、ＩＣタグ読取部３で保守許可証２が読み取られたときに、作業許可ＦＦ５をオンに設定し、電源断や保守パネルの操作を可能にするものである。
【００１５】
作業許可ＦＦ５は、オンに設定されたときに、電源キー６の押下を有効にして電源断を可能にしたり、保守用パネル９の操作を可能にしたりなどするものである。
【００１６】
ＡＮＤ回路７，１０は、作業許可ＦＦ５がオン（作業許可）に設定されたときに、電源キー６、保守用パネル９の操作を可能にするためのものである。
【００１７】
電源８は、システム１１に供給する電源であって、電源キー６の押下によって電源断するように構成された電源である。
【００１８】
保守用パネル９は、保守を行うための各種指示や操作を行うためのパネルである。
【００１９】
システム１１は、コンピュータシステムであって、サーバやＡＴＭなどのコンピュータを使った各種システムである。
【００２０】
次に、図２のフローチャートの順番に従い、図１の構成の動作を詳細に説明する。
【００２１】
図２は、本発明の動作説明フローチャートを示す。
【００２２】
図２において、Ｓ１は、ＩＣタグ情報を読む。これは、図１のシステム１１に設けたＩＣタグ読取部３が、保守要員が保持するＩＣタグ１からＩＣタグ情報を読み取る。
【００２３】
Ｓ２は、保守許可証ありか判別する。これは、Ｓ１でＩＣタグ１から読み取ったＩＣタグ情報中に、保守許可証が有りか判別する。ＹＥＳの場合には、Ｓ３で作業許可ＦＦ５をＯＮにし、電源キー６、保守用パネル９の操作を有効にする。そして、保守作業を開始する。一方、Ｓ２のＮＯの場合には、ＩＣタグ１から読み取ったＩＣタグ情報中に、保守許可証がないと判明したので、Ｓ４で作業許可ＦＦ５をＯＦＦにして電源キー６、保守用パネル９の操作を無効にし、保守作業ができないようにし、電源断などによる多大な影響がシステム１１の利用者に及ぼさないようにする。
【００２４】
以上のように、保守作業者が保持するＩＣタグを、保守対象のシステム１のＩＣタグ読取部３が読み取ったＩＣタグ情報中に、保守許可証があれば、作業許可ＦＦ５がＯＮにされて、電源キー６、保守用パネル９の操作を可能にし、保守要員がこれら電源キー６、保守用パネル９を操作して保守作業を行うことができる。この際、ＩＣタグ１に保守許可証がなければ、電源キー６、保守用パネル９が操作不可能となり、システム１１の管理者から保守許可証の書き込まれたＩＣタグ１を受け取らない（あるいは持参のＩＣタグに保守許可証の情報を管理者から書き込んでもらわない）と保守作業できず、不測の電源断やシステム停止を防止することが可能となる。
【００２５】
図３は、本発明の他のシステム構成図を示す。これは、図１のシステム構成図に加えて、稼動中設定部１２、保守可能判断部１６を設けて、システム１１の稼動中には保守作業をできないようにしたものである。１から９は、図１の１から９と同一であるので説明を省略する。
【００２６】
図３において、稼動中設定部１２は、システム１１の稼動中は保守作業を無効にするものであって、ここでは、稼動中設定処理部１３、稼動中ＦＦ１４、ＮＡＮＤ回路１５などから構成されるものである。
【００２７】
稼動中設定処理部１３は、システム１１の稼動中を検出したときに、稼動中ＦＦ１４をＯＮに設定し、非稼動中を検出したときに稼動中ＦＦ１４をＯＦＦに設定したりするものである。
【００２８】
稼動中ＦＦ１４は、システム１１が稼動中のときにＯＮ、非稼動中のときにＯＦＦを記憶するものである。
【００２９】
ＮＡＮＤ回路１５は、稼動中ＦＦ１４の出力を反転するものであって、稼動中ＦＦ１４がＯＮ（システム１１が稼動中であることを表す）のときにＯＦＦ（システム１１が稼動中で保守作業不可の状態を表す）にしたり、稼動中ＦＦ１４がＯＦＦ（システム１１が非稼動中であることを表す）のときにＯＮ（システム１１が非稼動中で保守作業可能の状態を表す）にしたりするものである。
【００３０】
保守可能判断部１６は、保守可能を判断するものであって、ＮＡＮＤ回路１５からの出力と、作業許可ＦＦ５からの出力をＡＮＤ回路１７で論理演算（両者がＯＮのときにＯＮとなる論理演算）を行い、結果として、作業許可ＦＦ５に作業許可、稼動中ＦＦ１４に非稼動中が設定されたときに、作業許可を出力するものである。そして、作業許可の出力は、ＡＮＤ回路７およびＡＮＤ回路１０に入力し、電源キー６および保守用パネル９の操作を可能にするものである。
【００３１】
次に、図４のフローチャートの順番に従い、図３の構成の動作を詳細に説明する。
【００３２】
図４は、本発明の他の動作説明フローチャートを示す。
【００３３】
図４において、Ｓ１１は、管理者がシステム起動指示する。これは、管理者が図２のシステム１１について、図示外の操作パネル（あるいは管理者用のディスプレイ）上から起動指示する。
【００３４】
Ｓ１２は、稼動中ＦＦをＯＮにする。これは、Ｓ１１でシステム１１が起動されたことに対応して、図３の稼動中設定処理部１３が稼動中ＦＦ１４をＯＮに設定する。
【００３５】
Ｓ１３は、システム終了指示する。これは、管理者が図２のシステム１１について、図示外の操作パネル（あるいは管理者用のディスプレイ）上から終了指示する。
【００３６】
Ｓ１４は、稼動中ＦＦをＯＦＦにする。これは、Ｓ１３でシステム１１が終了されたことに対応して、図３の稼動中設定処理部１３が稼動中ＦＦ１４をＯＦＦに設定する。
【００３７】
以上によって、管理者がシステム１１を起動すると、稼動中ＦＦ１４がＯＮに設定され、システム１１を処理終了すると、稼動中ＦＦ１４がＯＦＦに設定される。
【００３８】
Ｓ２１は、ＩＣタグ情報を読む。これは、図３のシステム１１に設けたＩＣタグ読取部３が、保守要員が保持するＩＣタグ１からＩＣタグ情報を読み取る。
【００３９】
Ｓ２２は、保守許可証ありか判別する。これは、Ｓ２１でＩＣタグ１から読み取ったＩＣタグ情報中に、保守許可証が有りか判別する。ＹＥＳの場合には、Ｓ２３で作業許可ＦＦ５をＯＮにし、Ｓ２５に進む。一方、Ｓ２２のＮＯの場合には、ＩＣタグ１から読み取ったＩＣタグ情報中に、保守許可証がないと判明したので、Ｓ２４で作業許可ＦＦ５をＯＦＦにし、Ｓ２７で保守操作を無効にして終了する。
【００４０】
Ｓ２５は、稼動中か判別する。これは、既述したＳ１２で稼動中ＦＦ１４がＯＮに設定され、システム１１が稼動中か判別する。ＹＥＳの場合には、Ｓ２７で保守操作を無効にし、終了する。ＮＯの場合には、Ｓ２６で保守操作を有効（図３の保守可能判別部１６がＯＮ（保守操作可能状態の信号））を出力し、電源キー６および保守用パネル９の操作を可能にし、保守作業を行う。
【００４１】
以上のように、保守作業者が保持するＩＣタグを、保守対象のシステム１のＩＣタグ読取部３が読み取ったＩＣタグ情報中に、保守許可証があり、かつ稼動中ＦＦ１４がＯＦＦ（非稼動中）のときに、電源キー６および保守用パネル９の操作を可能にし、保守要員がこれら電源キー６、保守用パネル９を操作して保守作業を行うことができる。この際、ＩＣタグ１に保守許可証があっても、システム１１が稼動中であれば（稼動中ＦＦ１５がＯＮ）、電源キー６および保守用パネル９が操作不可能となり、システム１１の管理者から保守許可証の書き込まれたＩＣタグ１を受け取らない（あるいは持参のＩＣタグに保守許可証の情報を管理者から書き込んでもらわない）場合や、更に、保守許可証があってもシステム１１が非稼動中でないと保守作業できず、不測、更に、システム稼動中には電源断やシステム停止を防止することが可能となる。
【００４２】
図５は、本発明の他の動作説明図を示す。これは、作業員の資格に応じた許可証（保守許可証３１、保守資格者証３２、システム運用許可証３３）による保守作業のレベル例を示す。
【００４３】
図５の（ａ）は、システム構成図を示す。これは、図１、図３のＩＣタグ１、ＩＣタグ読取部３、作業許可設定部４の詳細構成図を示す。
【００４４】
図５の（ａ）において、ＩＣタグ１は、許可証を書き込んで記憶するものであって、ここでは、
・保守許可証３１
・保守資格者証３２
・システム運用許可証３３
という作業員の資格に応じた許可を書き込んで記憶するものである。
【００４５】
図５の（ｂ）は、図５の（ａ）の構成の動作を説明するブローチャートを示す。
【００４６】
図５の（ｂ）において、Ｓ３１は、ＩＣタグ情報を読む。これは、図５の（ａ）のＩＣタグ読取部３が作業員またはシステム管理者の持参するＩＣタグからＩＣタグ情報を読み込む。
【００４７】
Ｓ３２は、システム運用許可証か判別する。これは、Ｓ３１で読み込んだＩＣタグ情報中に、システム運用許可証３３がありか判別する。ＹＥＳの場合には、Ｓ３５で作業許可ＦＦ５（図１、図３）をＯＮにし、図１では電源キー６および保守用パネル９の操作を可能にし、図３では更にシステム１１が非稼動中のときに電源キー６および保守用パネル９の操作を可能にする。一方、Ｓ３２のＮＯの場合には、Ｓ３３に進む。
【００４８】
Ｓ３３は、保守許可証ありか判別する。これは、Ｓ３１で読み込んだＩＣタグ情報中に、保守許可証３１がありか判別する。ＹＥＳの場合には、Ｓ３４に進む。ＮＯの場合には、Ｓ３６で作業許可ＦＦをＯＦＦにし、電源キー６および保守用パネル９の操作不可にして終了する。
【００４９】
Ｓ３４は、保守資格者証ありか判別する。これは、Ｓ３１で読み込んだＩＣタグ情報中に、保守資格者証３２がありか判別する。ＹＥＳの場合には、Ｓ３５で作業許可ＦＦ５をＯＮにし、図１では電源キー６および保守用パネル９の操作を可能にし、図３では更にシステム１１が非稼動中のときに電源キー６および保守用パネル９の操作を可能にする。一方、Ｓ３４のＮＯの場合には、Ｓ３６で作業許可ＦＦ５をＯＦＦにし、電源キー６および保守用パネル９の操作不可にして終了する。
【００５０】
以上によって、作業者の資格が、システム運用許可証３３の場合には作業許可ＦＦ５をＯＮにし、それ以外のときは、保守許可証３１および保守資格者証３２の場合に作業許可ＦＦ５をＯＮにし、図１では電源キー６および保守用パネル９の操作を可能にし、図３では更にシステム１１が非稼動中のときに電源キー６および保守用パネル９の操作を可能にする。これにより、システム運用許可証３３の場合には、即時にシステム１１が稼動中であっても（図１の場合）、電源キー６や保守用パネル９の操作を可能にして、緊急事態に対処することが可能となる。更に、システム運用許可証３３の場合、図３でシステム稼動中であっても、電源キー６は保守用パネル９の操作を可能にするようにしてもよい。
【００５１】
尚、ネットワークに接続される保守対象の装置（サーバやＡＴＭなど）の場合には、ネットワークに接続されていないいわゆるローカルモードで稼動中は、稼動中であっても、ネットワークを介してユーザがアクセスすることはないので、電源キー６および保守用パネル９の操作を可能にするようにしてもよい。
【００５２】
図６は、本発明のＩＣタグ情報の例を示す。
【００５３】
図６の（ａ）は、保守許可証の例を示す。保守許可証３１の場合には、ＩＣタグ１にＩＣタグ情報として図示の下記のデータを書き込む。
【００５４】
・ＩＣタグＩＤ：
・ユーザ名（保守作業者名）：
・許可承諾者：
・作業許可：可
・その他：
図６の（ｂ）は、保守資格者証の例を示す。保守資格者証３２の場合には、ＩＣタグ１にＩＣタグ情報として図示の下記のデータを書き込む。
【００５５】
・ＩＣタグＩＤ：
・保守会社名：
・氏名：
・保守資格：有
・その他：
図６の（ｃ）は、システム運用許可証の例を示す。システム運用許可証３３の場合には、ＩＣタグ１にＩＣタグ情報として図示の下記のデータを書き込む。
【００５６】
・ＩＣタグＩＤ：
・ユーザ名：
・氏名：
・システム運用許可証：可
・その他：
以上のように、ＩＣタグ１にＩＣタグ情報として、保守許可証３１、保守資格者証３２、システム運用許可証３３を書き込むことにより、既述した図５で説明したように、資格に応じて作業許可ＦＦ５をＯＮにし、保守作業を行うことが可能となる。
【産業上の利用可能性】
【００５７】
本発明は、装置の保守点検時にＩＣタグから許可情報が読み取られたときに作業許可フラグをオンにして保守可能、更に、装置が稼動中でないときにフラグをオンにして保守可能にし、保守要員は保守作業許可を書き込んだＩＣタグがないと保守作業を開始できず、保守作業ミスを完全に防止することが可能となる。
【図面の簡単な説明】
【００５８】
【図１】本発明のシステム構成図である。
【図２】本発明の動作説明フローチャートである。
【図３】本発明の他のシステム構成図である。
【図４】本発明の他の動作説明フローチャートである。
【図５】本発明の他の動作説明図である。
【図６】本発明のＩＣタグ情報の例である。
【符号の説明】
【００５９】
１：ＩＣタグ
２：保守許可証
３：ＩＣタグ読取部
４：作業許可設定部
５：作業許可ＦＦ
６：電源キー
７，１０，１７：ＡＮＤ回路
８：電源
９：保守用パネル
１１：システム
１２：稼動中設定部
１３：稼動中設定処理部
１４：稼動中ＦＦ
１５：ＮＡＮＤ回路
１６：保守可能判断部
３１：保守許可証
３２：保守資格者証
３３：システム運用許可証
【図１】
2005250948.tif 000003
【図２】
2005250948.tif 000004
【図３】
2005250948.tif 000005
【図４】
2005250948.tif 000006
【図５】
2005250948.tif 000007
【図６】
2005250948.tif 000008